(57)【要約】【課題】コネクタを装置等から取り外す際、ロック部の解除等を行うレバーの操作性を向上させる。【解決手段】ケーブル３の一端側に取り付けられ、前記ケーブル３を相手側５に接続するコネクタ１である。そして、前記コネクタ１は、前記相手側５に接続する接続部と、前記接続部のロックを行うロック部と、前記ロック部によるロック及びロック解除の際に作用するレバー１５とを有している。そして、前記レバーに掴み部１５ｃ、１５ｄを設けた。【選択図】      図１
2005116296.tif 000002
【特許請求の範囲】
【請求項１】
ケーブルの一端側に取り付けられ、前記ケーブルを相手側に接続するコネクタにおいて、前記コネクタは、前記相手側に接続する接続部と、前記接続のロックを行うロック部と、前記ロック部によるロック及びロック解除の際に作用するレバーとを有し、
前記レバーに掴み部を設けたことを特徴とするコネクタ。
【請求項２】
前記レバーは、連結部により連結された一方のアームと、他方のアームとを備え、前記掴み部は前記両アーム側に設けることを特徴とする請求項１記載のコネクタ。
【請求項３】
前記掴み部は窪み形状で形成されていることを特徴とする請求項１又は２記載のコネクタ。
【発明の詳細な説明】
【技術分野】
【０００１】
本発明は、コネクタに係り、さらに詳細には、ケーブルの一端側に取り付けられたコネクタを装置等から取り外す際、コネクタの接続をロックするロック部の解除等を行うレバーに掴み部を形成したコネクタに関する。
【背景技術】
【０００２】
従来、コネクタには相手側（例えば、装置等）に接続したときに接続状態をロックする型のものがある。すなわち、コネクタを装置等に接続し、このコネクタが装置等の使用中に外れないようにロックする。
【０００３】
その後、コネクタを取り外す際（例えば、装置類の保守作業等の際）、コネクタに備えられたレバーを指で掴んで引きながらロック解除を行い装置等から取り外す。
【０００４】
一方、このコネクタは装置に複数配置される場合がある。各コネクタの配置間隔は装置のスペース上近接して配置される。さらに、前記レバー周辺には配線されたケーブルが通っている。
【０００５】
非特許文献１を参照。
【非特許文献１】ｉｎｆｉｎｉＢａｎｄ  Ａｒｃｈｉｔｅｃｔｕｒｅ  Ｒｅｌｅａｓｅ１．１  Ｖｏｌｕｍｅ２−Ｐｈｙｓｉｃａｌ  Ｓｐｅｃｉｆｉｃａｔｉｏｎｓ
【発明の開示】
【発明が解決しようとする課題】
【０００６】
このような、従来のコネクタは以下のような問題があった。すなわち、レバー周辺にのびているケーブル等により着脱時にうまくレバーを掴めないという問題があった。
【０００７】
特に、複数のコネクタが近接して配置されている場合、コネクタ同士、及びケーブルがレバーを掴む際に障害になり、この結果、レバーの操作がうまく行えずコネクタの着脱が適正に行えないという問題があった。
【０００８】
さらに、ロックを完全に解除させないまま、コネクタを取り外そうとすると負荷が大きく掛かりコネクタ、及びケーブル等が破損するという問題がある。
【課題を解決するための手段】
【０００９】
本発明は、前述のごとき問題に鑑みてなされたもので、請求項１に係る発明は、ケーブルの一端側に取り付けられ、前記ケーブルを相手側に接続するコネクタにおいて、前記コネクタは、前記相手側に接続する接続部と、前記接続のロックを行うロック部と、前記ロック部によるロック及びロック解除の際に作用するレバーとを有し、前記レバーに掴み部を設けたコネクタである。
【００１０】
請求項２に係る発明は、前記レバーは、連結部により連結された一方のアームと、他方のアームとを備え、前記掴み部は前記両アーム側に設けるコネクタである。
【００１１】
請求項３に係る発明は、前記掴み部は窪み形状で形成されているコネクタである。
【発明の効果】
【００１２】
本発明によれば、レバー部分に掴み部を持たせ、コネクタを装置等から外す際、レバーの操作性の向上を図った。これにより、容易にコネクタのロックの解除を行うことができ着脱が簡単に行えるという効果がある。
【００１３】
さらに、コネクタの両アーム部分に掴み部を設けたことにより、このコネクタを複数並べて装置に配置した状態からでも、レバーを両アーム側から簡単に掴むことができ、容易にレバーを操作し作用させることができロック部の解除を行える。これにより、ケーブル、装置、コネクタ類の破損等を防ぐことができるという効果がある。
【００１４】
また、レバーの掴み部は窪みで形成されているので指で掴む際に掴み易い上、コネクタの部品点数が増えず製造コストも抑えることができるという効果がある。
【発明を実施するための最良の形態】
【００１５】
本発明の実施の形態を、図面を参照して説明する。図１〜図５を参照する。図１はコネクタの概略を示す斜視図である。図２は、図１のコネクタを別の方向から見た斜視図である。図３は、図１において矢印ＡＲ１方向から見た側面図である。図４は、図１において矢印ＡＲ２方向から見た側面図である。図５は、図１において矢印ＡＲ３方向から見た正面図である。
【００１６】
図１及び図２に示すように、コネクタ１はケーブル３の一端側に取り付けられ、前記ケーブル３を相手側（本例では装置を想定するが、装置以外でもコネクタ同士の接続や固定箇所への接続も含む）５に接続する中間接続的な役割を果たす。
【００１７】
前記コネクタ１は、装置５に直接接続する接続部１７（図５参照）と、前記接続部１７のロックを行うロック部１３（図３参照）と、前記ロック部１３のロック及びロック解除の際に作用するレバー１５とを有し、前記レバー１５には掴み部１５ｃ、１５ｄが形成されている。
【００１８】
図３を参照する。上述のようにケーブル３はコネクタ１（接続部１７）を介して装置５に接続する。コネクタ１には接続状態を維持するロック部１３が備えられている。
【００１９】
そして、前記ロック部１３（材質は弾性率が高い金属が好ましい）は、レバー１５のアーム１５ａの先端に形成された突起部１１（図３において紙面に垂直方向に突出している）の作用（図３においてレバー１５の左右方向の移動による突起部１１の左右の移動）により開閉（図３において紙面に垂直方向に開閉）する。すなわち、この突起部１１が右側に移動したとき、この突起部１１に押されてロック部１３が開く（図３において紙面に垂直方向に開く）。一方、左側に移動したとき、この突起部１１から離れてロック部１３が閉じる。
【００２０】
この開閉により、前記ロック１３が装置５に備えられた他方のコネクタ（図示しない）にはまりロック状態になる。また、ロック状態が解除になる。なお、前記レバー１５は半割れのケース７と、ケース９とに覆われ一体的にコネクタ１を構成している。前記ロック１３の一端側もケース７、ケース９の内部に固定されている。
【００２１】
上述ではアーム１５ａについて説明したが、アーム１５ｂ（図４に図示）側についても同様である。
【００２２】
図４を参照する。コネクタ１の配置場所によっては、エリアＥＲの領域が狭くなり、指でのレバー１５の操作（引っ張り）が適正に行われない。このため、前記レバー１５のアーム１５ａ側には掴み部１５ｃが形成されている。さらに、アーム１５ｂ側には掴み部１５ｄが形成されている。これにより、この掴み部１５ｃ、１５ｄに指をはめやすくコネクタ１を装置５から外すときのレバー１５の操作が容易になる。
【００２３】
図５を参照する。コネクタ１には接続部１７が備えられている。この接続部１７の内側には端子等１７ａが複数配置されている。そして、接続部１７により装置５に接続するとともにコネクタ側の端子等１７ａが装置側の端子に接触し信号等を電送する。
【００２４】
図６（ａ）、（ｂ）を参照する。図６（ａ）に示すようにレバー１５はアーム１５ａと、アーム１５ｂが連結部１５ｅにより連結され形成されている。
【００２５】
アーム１５ａには前記掴み部１５ｃが窪み形状で形成されている。一方、アーム１５ｂには前記掴み部１５ｄが窪み形状で形成されている。窪み形状は指先の形状に合致するように大きさ等を形成することが望ましい。より掴み易くするためである。また、この掴み部の表面は摩擦係数を高くするため、表面を荒く形成することが望ましい。
【００２６】
また、図６（ｂ）に示すようにアーム１５ａ、１５ｂに形成する前記掴み部１５ｃ、１５ｄは湾曲して形成してもよい。このレバー１５はモールドの射出成形で製造されるため、このような形状にしてもコネクタ１の構成部品点数の増加にはならない。
【００２７】
図７を参照する。前記コネクタ１を装置５から外す際、前記掴み部を指１９で掴んで矢印ＡＲ４方向に引っ張る。これにより、レバー１５の作用でロック状態が解除される。続いて、コネクタ１の接続部１７を装置５から外す。これにより、コネクタ１、ケーブル３等の破損等を起こさずコネクタを外せる。
【００２８】
図８を参照する。複数のコネクタ１、１ａ、１ｂ、１ｃ、１ｄが装置５に互い近接して配置されている例である。このように、複数のコネクタ１、１ａ、１ｂ、１ｃ、１ｄが配置されることにより、指を入れるスペースがより狭くなり、各コネクタを取り外す際にレバーのアームとアームとを連結する連結部を掴めなくなる。すなわち、レバーの操作がより困難になる。そして、このアームに掴み部を形成することで、適正にレバーを作用させることができる。
【００２９】
なお、本発明は、上述した実施の態様の例に限定されることなく、適宜の変更を加えることにより、その他の態様で実施できるものである。
【図面の簡単な説明】
【００３０】
【図１】コネクタの概略を説明する斜視図である。
【図２】コネクタの概略を説明する斜視図である。
【図３】コネクタの側面を示す側面図である。
【図４】コネクタの側面を示す側面図である。
【図５】コネクタの正面を示す正面図である。
【図６】（ａ）、（ｂ）は掴み部を説明する説明図である。
【図７】コネクタの着脱を説明する説明図である。
【図８】コネクタの配置例を説明する説明図である。
【符号の説明】
【００３１】
１  コネクタ
３  ケーブル
５  装置
１５  レバー
１５ａ  アーム
１５ｂ  アーム
１５ｃ  掴み部
１５ｄ  掴み部
【図１】
2005116296.tif 000003
【図２】
2005116296.tif 000004
【図３】
2005116296.tif 000005
【図４】
2005116296.tif 000006
【図５】
2005116296.tif 000007
【図６】
2005116296.tif 000008
【図７】
2005116296.tif 000009
【図８】
2005116296.tif 000010